【事件の表示】
　特願２０１１−１７１５３９「表示制御装置及びプログラム」拒絶査定不服審判事件〔平成２４年　１月１２日出願公開、特開２０１２−　　８５８５〕について、次のとおり審決する。
【結　論】
　本件審判の請求は、成り立たない。
【理　由】
第１　手続の経緯・原査定の拒絶の理由
　
特許出願：　平成２３年８月５日　（特願２００５−２２２６５８号（出願日：平成１７年８月１日）の分割出願）
拒絶理由通知：　平成２４年１月２０日（発送日：同年２月１４日）
手続補正：　平成２４年４月１１日 （以下、「本願補正」という。）
拒絶査定：　平成２４年６月２１日（送達日：同年７月１７日）
拒絶査定不服審判の請求：　平成２４年１０月１５日 
　
　そして、原査定の拒絶の理由は、本願の特許請求の範囲の請求項１ないし６に係る発明は、本願出願前に国内又は外国において頒布された刊行物である特開平１１−０４５０７８号公報（発明の名称：画像表示装置、　出願人：シャープ株式会社、　以下「引用例」という。）に記載された発明等に基づいて当業者が容易に発明をすることができたものであるから、特許法第２９条第２項の規定により特許を受けることができない、というものである。
　
　
第２　本願発明
　本願の請求項１ないし６に係る発明は、本願補正によって補正された明細書、特許請求の範囲、及び図面の記載からみて、その特許請求の範囲の請求項１ないし６に記載された事項により特定されるとおりのものと認められるところ、その請求項１に係る発明は次のとおりである。 
　
「表示対象となる画像データを表示する表示制御装置であって、
　複数のファイル属性毎に、画像の画質を制御する画質制御情報を記憶する記憶手段と、
　前記表示対象となる画像データのファイル属性を取得する取得手段と、
　前記取得手段で取得したファイル属性に対応した画質制御情報を前記記憶手段から読み出し、その読み出された画質制御情報に基づいて、前記表示対象となる画像データの画質を制御する画質制御手段と、
　前記画質制御手段で制御された画像データを表示する表示制御手段と、
　を備えたことを特徴とする表示制御装置。」（以下「本願発明」という。）
　
　
第３　引用例記載の事項・引用発明
　これに対して引用例には、「画像表示装置」（発明の名称）に関し、次の事項（ａ）ないし（ｃ）が図面とともに記載されている。
　
（ａ）
「【０００３】
【発明が解決しようとする課題】しかしながら、これらの表示装置では、図７〜図１０に示すように、同一画面上に複数の画像情報が表示されたとき、使用者がある１つの画像に注目して画質調整を行うと、同時に表示されているすべての画像情報が変化してしまう。例えば図９のように文字表示情報とＴＶ受信画像がオーバーレイ形態で表示される場合や図１０のように、画面分割の場合で、ＴＶ受信機に対し輝度を上昇させた場合には、文字表示画面の部分も同時に輝度が上昇し、文字表示情報の視認性が低下してしまう問題点があった。
【０００４】またＴＶ受信画像、ＣＤ−ＲＯＭ、ＭＰＥＧ再生画像等の画像は多階調表示情報であるが、文字放送、テキスト等の文字表示を行う場合は、２値情報であるため多階調表示情報と２値情報の視認性を両立させることができず、どちらか一方の視認性が低下してしまう問題点があった。
【０００５】このように画像情報の種類により、最適な表示状態がそれぞれの画像情報の種類毎で、相違する。本発明は、このような現状を鑑みて視認性の低下を改善するためになされたもので、同一画面上に複数の画像信号が表示された時に、使用者が表示画面のそれぞれに対して、任意に画質調整を行うことができる画像表示装置を提供するものである。」
　
（ｂ）
「【００１６】表示される表示情報の種類をその表示情報のファイルの拡張子やファイル内部の情報を参照し、表示情報毎に画像調整可能な画像表示装置によりそれらの画像内容によって、画質調整が可能となる。」
（ｃ）
「【００２０】
【発明の実施の形態】以下、本発明の実施形態１、実施形態２、および実施形態３について説明する。
（実施形態１）本実施形態１による構成概略図を図１に示す。複数の表示信号入力し、切換信号により、切換える表示信号を出力する画像入力部と、複数の表示信号の切換を行う機能と表示信号の入力識別信号を生成する機能を有する、入力切換制御部と、切換信号を収納するフレームメモリー部と、表示信号を変換する画像変換部と、画像変換部を操作するための操作部と表示部で構成される。以上の構成により、複数で入力されたそれぞれの表示信号に対して、個々の画像調整を行う。表示部の一画面上に複数の表示信号により形成される画像が同時に表示された場合でも、それぞれ表示信号に対して一度設定した画像調整内容を個別に再現し表示する。
【００２１】本実施形態１を図２を参照して説明する。複数の表示信号入力し、切換信号により、切換える表示信号を出力する画像入力部ビデオボード２、ＣＤ−ＲＯＭ３、ＨＤ４から構成されている。複数の表示信号の切換を行う機能と表示信号の入力識別信号を生成する機能を有する、入力切換制御部と各構成部の制御を行う機能を有する部分はＣＰＵ９、ＲＡＮ１０、ＲＯＭ１１から構成されている。
【００２２】切換信号を収納するフレームメモリー部はフレームメモリー１７から構成されている。表示信号を変換する画像変換部は、ＬＵＴ６とＤ／Ａ変換器１より構成されている。
【００２３】表示部はＣＲＴ８より構成されている。操作部は入出力制御回路５とこれに入力するキーボード、マウス、リモコンより構成されている。以上の構成により、複数で入力されたそれぞれの表示信号に対して、個々の画像調整を行う。表示部の一画面上に複数の表示信号により形成される画像が同時に表示された場合でも、それぞれ表示信号に対して一度設定した画像調整内容を個別に再現し表示する。画像入力部はコンピューター・バス１にビデオボード２、ＣＤ−ＲＯＭ３及びＨＤ４を接続した構成となっている。ビデオボード２はアナログ映像信号（コンポジット、ＲＧＢコンポーネント）をデジタル化して、一画面以上の画像データを蓄積する機能を有した装置である。
【００２４】ＣＤ−ＲＯＭ３、ＨＤ４には静止画像データがデジタル化された状態で格納されている。これら画像入力部の各装置にはあらかじめＩＤ番号が設定される。操作部には入出力制御回路５に、キーボード、マウスまたはリモコンを接続することによって構成されている。画像変換部は、ルックアップテーブルＬＵＴ６及びＤ／Ａ変換器７で構成される。ＬＵＴ６は中間再現特性データを蓄積したＥＰＲＯＭ等の不揮発メモリーが使用される。ＬＵＴ６の代表的な入出力特性を図１２、図１３、図１４、図１５に示す。本実施形態１では画像データはＲＧＢ各々８ビットの階調値を持つ。各図は横軸に入力信号階調値（０〜２５５）を、縦軸には出力信号階調値（０〜２５５）を示している。このようにＬＵＴ６により、中間調再現特性を変換することを可能としている。ＬＵＴ６は、このようにそれぞれの入出力特性に対応するように設定された変換テーブルがページを切換えることによって選択可能となるようあらかじめ準備されており、用意された変換特性の中から、所望の変換特性を得ることができる。勿論高速のＳＲＡＭを用いることも可能である。Ｄ／Ａ変換器７はＬＵＴ６の後段に接続され、ＬＵＴ６からのデジタル信号をアナログ信号に変換する。フレームメモリー部は、高速の３２ビットデータ幅のＤＲＡＭを使用したフレームメモリー１７で構成されており、これはデータの上部２４ビットにＲＧＢ各色８ビットの画像データ、下位８ビットにそれらの画像データの画像変換ページ情報８ビットを格納する。ＣＰＵ９を介して画像データの読み出しと書き込みが可能である。この構成により画像変換ページ情報として２５６通りが格納できる。表示部はＣＲＴ８によって構成されている。本実施形態ではＣＲＴを表示部に用いたが、ＴＦＴ−ＬＣＤ等のフラットパネルディスプレイでも表示部を構成することができる。この場合、前記画像変換部にはＤ／Ａ変換部７は不要となる。ＣＰＵ９，ＲＡＭ１０及びＲＯＭ１１は制御部を構成しており、本発明の構成要素の制御を行う。勿論図１の構成概略図内の入力切換制御部の働きも含んでいる。ＲＯＭ１１にはＣＰＵ９が実行する画像調整プログラムと複数画像表示形態を決定するアドレス情報（以下画像表示領域アドレスと称す）が格納されている。ＲＡＭ１０は画像入力部の各装置のＩＤ番号とそれら装置が出力する画像データ毎に画像調整の設定結果を書き込み、読み出しすることが可能な記憶装置である。以上の各構成要素はコンピュータ・バス１に接続されている。
　・・・
【００２９】ステップ４は画像調整作業であり、使用者が、キーボード、マウスまたはリモコンでＬＵＴ６のページを切り換えることによって画像調整を行う。その調整内容と調整対象となった画像データを出力している画像入力部のＩＤ番号をＲＡＭ１０に格納する。加えて調整の対象になった画像データがフレームメモリ１７の上位２４ビットデータに書き込まれると同時に、フレームメモリ１７の下位８ビットデータに画像データの画像調整情報であるＬＵＴ６のページ番号が格納される。
【００３０】次にステップ５に移り、調整をやり直すか否かの選択が行われる。使用者が調整のやり直しを選択すると、ステップ４の画像調整作業へ戻る。やり直さない場合、ステップ６に移り、他の画像入力部から出力される画像データについても、調整するか否かをＣＰＵ９からオンスクリーン表示を行うことにより使用者に問い合わせる。
【００３１】他の画像入力部の装置から出力される画像データについても、調整することを選択した場合、ステップ２の調整画像選択作業に戻り上記の調整作業を繰り返す。他の画像については調整しない場合、ＣＰＵ９は使用者に終了を通知し画像調整作業を終了する。
【００３２】また、プログラム実行中、一作業終える毎に作業履歴がＲＡＭ１０に格納されるので、使用者が誤動作により作業を終えてしまった場合でも作業履歴を参照することにより、画質調整作業の途中から再設定ができる。
【００３３】これらの作業により、一画面に複数の画像を表示するときは、フレームメモリ１７から画像データを読み出したと同時に、画像調整情報が読み出され、読み出された画像データの画素情報が、ＬＵＴ６のアドレスデータとして入力され、画像調整情報であるＬＵＴ６のページ番号の情報がＬＵＴ６のページを切り換えることにより、画像調整した内容が表示された領域毎に再現される。
【００３４】また、複数の画像データのうち一つだけを格納し、ＲＡＭ１０に格納されたＩＤ番号に対応したＬＵＴ６のページ番号でページを切り換えることにより、画像調整された個々の画像データに対して、一度設定した画像調整内容を再現できる。
【００３５】従来は、複数の表示信号により表示部に形成される画像に対して画質調整を行った場合、表示部に表示されているすべての画像が調整の影響を受けていたが、本発明の画像表示装置では、使用者が同一画面上に複数の画像記憶装置から入力された画像情報が表示されたとき、表示画像のそれぞれに対して任意に画質調整を行うことができ、一画面上に同時に多数の情報が表示部に表示された時も、使用者は、それぞれの画質に対して最も好ましい画質を得ることができる。」
　
　
　上記記載（ａ）ないし（ｃ）、及び図面の第１〜２，７〜１６図の記載から、引用例には、次の発明が記載されていると認められる。
　
「複数の画像データを表示する画像表示装置であって、
　複数のＩＤ番号に対応したページ番号により選択可能な中間再現特性データを蓄積したＬＵＴと、
　ＲＡＭに格納されたＩＤ番号に対応したＬＵＴのページ番号でページを切り換えることにより、個々の画像データに対して、一度設定した画像調整内容を再現する画像変換部と、
　画像データに対して一度設定した画像調整内容を個別に再現し表示する表示部と、
　を備えたことを特徴とする画像表示装置。」（以下「引用発明」という。）
　
　
第４　対比・判断
（１）本願発明と引用発明とを、主たる構成要件毎に、順次対比する。
　
ア　まず、引用発明における「複数の画像データを表示する画像表示装置」は、本願発明における「表示対象となる画像データを表示する表示制御装置」に相当する。
　
イ　また、引用発明の「ＩＤ番号」とは、ＣＤ−ＲＯＭ等の画像入力部の各装置にあらかじめ設定され、「調整対象となった画像データを出力している画像入力部」（段落【００２９】）が何であるか、すなわち該「画像データ」ファイルの出自を示すものであるから、該「画像データ」ファイルの属性に関するものであるといえる。したがって、引用発明における「複数のＩＤ番号に対応したページ番号により選択可能な中間再現特性データを蓄積したＬＵＴ」は、本願発明における「複数のファイル属性毎に、画像の画質を制御する画質制御情報を記憶する記憶手段」に相当するといえる。
　
ウ　さらに、引用発明は画像データの表示に際して、「ＩＤ番号に対応したＬＵＴのページ番号でページを切り換える」のであるから、表示対象となる画像データのＩＤ番号（ファイル属性）を取得する何らかの取得手段を備えていることは明らかであり、該取得手段で取得したＩＤ番号を用いる、「ＲＡＭに格納されたＩＤ番号に対応したＬＵＴのページ番号でページを切り換えることにより、個々の画像データに対して、一度設定した画像調整内容を再現する画像変換部」は、本願発明における「前記取得手段で取得したファイル属性に対応した画質制御情報を前記記憶手段から読み出し、その読み出された画質制御情報に基づいて、前記表示対象となる画像データの画質を制御する画質制御手段」に相当するといえる。
　
エ　そして、引用発明における「画像データに対して一度設定した画像調整内容を個別に再現し表示する表示部」は、本願発明における「画質制御手段で制御された画像データを表示する表示制御手段」に相当する。
　
（２）してみると、両者の間に表現上の差異はあるにせよ、実質的な相違点は存在せず、本願発明は、引用発明に基づいて当業者が容易に発明し得たものといえる。
　また、上記イに関し、仮に、ＩＤ番号がファイル属性に関するものとまでは直接いえないとしても、引用発明は「・・・画像は多階調表示情報であるが、文字放送、テキスト等の文字表示を行う場合は、２値情報であるため多階調表示情報と２値情報の視認性を両立させることができず、どちらか一方の視認性が低下してしまう」（段落【０００４】）という問題点を解決しようとするものであり、しかも、引用例中に、「表示される表示情報の種類をその表示情報のファイルの拡張子やファイル内部の情報を参照し、表示情報毎に画像調整可能な画像表示装置によりそれらの画像内容によって、画質調整が可能となる。」（段落【００１６】）とも記載されていることからして、引用発明におけるＩＤ番号に代えて、ファイルの拡張子に応じたＬＵＴのページ切換えとすることも、当業者が容易になし得た程度のものといえる。
　
　
第５　請求人の主張について
　審判請求人は、審判請求書において、概略、以下のように主張しているので、検討する。
（１）請求人の主張の概要
「ｅ）以上を整理してみると、上記引用文献１には、ファイルの画質をユーザが任意に調整できること、そしてその調整内容についてはそのファイルに対応付けて記憶すること、の技術が開示され、その結果、その画質調整を行ったファイルを次回表示させた場合には、前回の調整内容を反映した状態で表示できること、の効果が期待できるのみであり、この引用文献１にあっては、本願発明のように「複数のファイル属性毎に、画像の画質を制御する画質制御情報を記憶する記憶手段」の技術は勿論のこと、「前記表示対象となる画像データのファイル属性を取得する取得手段」と「前記取得手段で取得したファイル属性に対応した画質制御情報を前記記憶手段から読み出し、その読み出された画質制御情報に基づいて、前記表示対象となる画像データの画質を制御する画質制御手段」との技術についても一切開示していない。」
  
（２）検討
　審判請求人は、引用発明が、「複数のファイル属性毎に、画像の画質を制御する画質制御情報を記憶する記憶手段」、「前記表示対象となる画像データのファイル属性を取得する取得手段」、及び「前記取得手段で取得したファイル属性に対応した画質制御情報を前記記憶手段から読み出し、その読み出された画質制御情報に基づいて、前記表示対象となる画像データの画質を制御する画質制御手段」を有さない旨の主張を行っているが、上記の「第４　対比・判断」において示したように、引用発明は実質的にこれらの手段のいずれをも備えたものである。
　
　したがって、審判請求人の主張は採用できない。
　
　
第６　むすび
　したがって、本願発明は、引用発明に基づいて当業者が容易に発明をすることができたものであるから、特許法第２９条第２項の規定により特許を受けることができない。
　以上のとおりであるから、他の請求項に係る発明について審理するまでもなく、本願は拒絶すべきものである。
　
　よって、結論のとおり審決する。